(57)【要約】【課題】襟留め具をはずしたまま着用しても襟崩れが抑制された状態を維持することができる上着シャツを提供する。【解決手段】シャツ正面側でシャツ襟１の上端からシャツ下端３に至る部分のうち少なくともシャツ襟上端からシャツ下端へ至る途中までが左右に開閉できる開閉可能の左右部分１１、１２となっており、該左右部分を、襟留め具２１を含む複数の留め具２１〜２７で閉じておくことができ、該複数の留め具は略等間隔で上下方向に配列されている上着シャツであって、開閉可能の左右部分１１、１２のうち襟下左右部分１１’、１２’を閉じておくことができる補助留め具２０を有している上着シャツＡ。【選択図】図１
0003135443.tif 000002
【実用新案登録請求の範囲】
【請求項１】
シャツ正面側においてシャツ襟上端からシャツ下端に至る部分のうち少なくとも該シャツ襟上端から該シャツ下端へ至る途中までが左右に開閉できる開閉可能の左右部分となっており、該左右部分を、該左右部分のうち襟左右部分を閉じておくことができる襟留め具を含む複数の留め具で閉じておくことができ、該複数の留め具は略等間隔で上下方向に配列されている上着シャツであって、
前記開閉可能の左右部分のうち前記襟留め具とその下の次段留め具との間の襟下左右部分を閉じておくことができる補助留め具を有していることを特徴とする上着シャツ。
【請求項２】
前記開閉可能の左右部分は前記シャツ前面側のシャツ襟上端からシャツ下端に至る部分を全体的に左右に開閉できる部分である請求項１記載の上着シャツ。
【請求項３】
略等間隔で上下方向に配列されている前記襟留め具を含む複数の留め具のそれぞれは、前記開閉可能の左右部分のうち一方に連結したボタンと他方に形成したボタン通し掛け孔とからなる孔掛け式ボタン留め具であり、
前記補助留め具は、
前記襟下左右部分のうち一方に取り付けたボタンと他方に形成したボタン通し掛け孔とからなる孔掛け式ボタン留め具、
前記襟下左右部分のうち一方に取り付けた第１ボタンと、他方に取り付けた、該第１ボタンを嵌着させる第２ボタンとからなる嵌着式ボタン留め具、
前記襟下左右部分のうち一方に取り付けたフックと他方に設けたフック係合部材とからなるフック式留め具及び
前記襟下左右部分のうち一方に取り付けた面状ファスナ雄部と他方に設けた面状ファスナ雌部とからなる面状ファスナ式留め具
から選ばれた留め具である請求項１又は２記載の上着シャツ。
【請求項４】
前記補助留め具は、それにより前記襟下左右部分を閉じたとき、シャツ正面外側から見えないように設けられている請求項１、２または３記載の上着シャツ。
【考案の詳細な説明】
【技術分野】
【０００１】
本考案は仕事着等として用いる上着シャツに関する。
【背景技術】
【０００２】
今日、地球温暖化が大きく問題視されるようになっており、地球温暖化をもたらす二酸化炭素ガスに代表される温室効果ガスの排出量削減が大きい課題となっいる。温室効果ガス排出量削減のために石油等の化石燃料の節約が急務である。
【０００３】
このような背景のもと、わが国では、「クールビズ（Ｃｏｏｌ  Ｂｉｚ）」と称する、夏期における冷房節約のための軽装化キャンペーンが展開され、軽装化による冷房の節約、ひいては冷房に要するエネルギーの節約、エネルギー節約による温室効果ガス排出量の削減、それによる地球温暖化の抑制に役立てようとしている。
【０００４】
このような「クールビズ」が唱えられてから、冷房節約による電気代節約効果ともあいまって、各種職場においてクールビズの採用が積極化しつつあり、夏場での軽装化（特に上着シャツをノーネクタイで着用すること）が容認されつつある。
【０００５】
ここでクールビズのためにノーネクタイで着用されいる上着シャツ（上着として着用するシャツ）をみると、図５に示すように従来からあるレギュラーカラー（レギュラー襟）のシャツＡ’、図６に示すように従来から知られているボタンダウンタイプのシャツＢ’、図７に示すようなポロシャツ或いはポロシャツ様のシャツＣ’等がある。
【０００６】
このようなシャツは、いちいち文献を挙げるまでもなく、シャツを扱う店頭、百貨店のシャツ売場、インターネットでの検索により容易に見ることができる。
【０００７】
これらシャツには次のような特徴がある。
すなわち、構成的には、シャツ正面側においてシャツ襟１の上端からシャツ下端３までが（図５、図６のシャツの場合）、或いはシャツ正面側においてシャツ襟１の上端からシャツ下端３へ至る途中までが（図７のシャツの場合）、左右に開閉できる開閉可能の左右部分１１、１２となっており、該左右部分を、該左右部分のうち襟左右部分を閉じておくことができる襟留め具２１を含む複数の留め具２１〜２７（或いは２１〜２３）で閉じておくことができ、該複数の留め具は略等間隔で上下方向に配列されている点であり、使用に際しては、冷房節約のクールビズの精神に沿って、襟留め具２１が外されたまま着用される点である。
【０００８】
襟留め具２１を含め上下に略等間隔で配列されている各留め具は、図示例では、開閉可能の左右部分１１、１２のうち一方に連結したボタンｂと他方に形成したボタン通し掛け孔ｈとからなる孔掛け式ボタン留め具であり、殆どの場合、このタイプの留め具が採用されている。
【考案の開示】
【考案が解決しようとする課題】
【０００９】
しかしながら、このように、シャツ正面側においてシャツ襟上端からシャツ下端までが、或いはシャツ正面側においてシャツ襟上端からシャツ下端へ至る途中までが、左右に開閉できる開閉可能の左右部分となっていて、該左右部分を、該左右部分のうち襟左右部分を閉じておくことができる襟留め具を含む複数の留め具で閉じておくことができ、該複数の留め具は略等間隔で上下方向に配列されているシャツを、その襟留め具を外して着用していると、頭部や首の動作、汗等により、次第に襟もと崩れが生じて襟が大きく開き気味となり易く、そうなると見苦しいと感じられかねない。
【００１０】
そこで本考案は、シャツ正面側においてシャツ襟上端からシャツ下端に至る部分のうち少なくとも該シャツ襟上端から該シャツ下端へ至る途中までが左右に開閉できる開閉可能の左右部分となっており、該左右部分を、該左右部分のうち襟左右部分を閉じておくことができる襟留め具を含む複数の留め具で閉じておくことができ、該複数の留め具は略等間隔で上下方向に配列されている上着シャツであって、襟留め具をはずしたまま着用しても襟崩れが抑制された状態を維持することができる上着シャツを提供することを課題とする。
【課題を解決するための手段】
【００１１】
本考案は前記課題を解決するため、
シャツ正面側においてシャツ襟上端からシャツ下端に至る部分のうち少なくとも該シャツ襟上端から該シャツ下端へ至る途中までが左右に開閉できる開閉可能の左右部分となっており、該左右部分を、該左右部分のうち襟左右部分を閉じておくことができる襟留め具を含む複数の留め具で閉じておくことができ、該複数の留め具は略等間隔で上下方向に配列されている上着シャツであって、
前記開閉可能の左右部分のうち前記襟留め具とその下の次段留め具との間の襟下左右部分を閉じておくことができる補助留め具を有している上着シャツを提供する。
【００１２】
本考案者の研究によると、前記従来の上着シャツの襟崩れは、襟留め具を含む本来の複数の留め具が略等間隔で上下方向に配列されており、襟留め具下の次段留め具から襟までの高さ距離が、襟留め具を外したままシャツを着用した場合の襟崩れを抑制するには長すぎるためである。
【００１３】
本考案に係る上着シャツにおいても、補助留め具を除く複数の留め具については、それらは略等間隔で上下方向に配列されており、襟留め具下の次段留め具から襟までの距離は従来シャツと同様である。
【００１４】
しかし、本考案に係るシャツでは、襟留め具と次段留め具との間の、襟崩れを抑制するには大きすぎて襟崩れを抑制し難い大きい間隔が補助留め具で修正される。すなわち、補助留め具が該襟留め具と次段留め具との間に設けてあり、襟留め具とその補助留め具との間の間隔は、略等間隔で配列された本来の留め具間の間隔より短く、従って、補助留め具で襟下左右部分を閉じておけば、襟留め具を外したままでも、襟崩れが抑制される。
かくして、本考案に係る上着シャツはクールビズのための軽装化において、それだけ外観体裁よく着用することができる。
【００１５】
前記開閉可能の左右部分はシャツ正面側のシャツ襟上端からシャツ下端に至る途中までの部分だけであってもよく、該シャツ正面側のシャツ襟上端からシャツ下端に至る部分を全体的に左右に開閉できる部分であってもよい。
【００１６】
本考案に係る上着シャツにおける前記略等間隔で上下方向に配列されている襟留め具を含む複数の留め具のそれぞれは、前記開閉可能の左右部分を閉じておけるものであればよいが、代表例として、一般的にそうであるように、該開閉可能の左右部分のうち一方に連結したボタンと他方に形成したボタン通し掛け孔とからなる孔掛け式ボタン留め具を挙げることができる。
【００１７】
前記補助留め具としては、例えば、
(1) 前記襟下左右部分のうち一方に取り付けたボタンと他方に形成したボタン通し掛け孔とからなる孔掛け式ボタン留め具、
(2) 前記襟下左右部分のうち一方に取り付けた第１ボタンと、他方に取り付けた、該第１ボタンを嵌着させる第２ボタンとからなる嵌着式ボタン留め具、
(3) 前記襟下左右部分のうち一方に取り付けたフックと他方に設けたフック係合部材とからなるフック式留め具及び
(4) 前記襟下左右部分のうち一方に取り付けた面状ファスナ雄部と他方に設けた面状ファスナ雌部とからなる面状ファスナ式留め具
から選ばれた留め具を挙げることができる。
【００１８】
外観を良好にするために、補助留め具は、それにより襟下左右部分を閉じたとき、シャツ正面外側から見えないように設けられていてもよい。
【００１９】
なお、本考案に係るシャツは半袖シャツでも長袖シャツでもよい。
【考案の効果】
【００２０】
本考案によると、シャツ正面側においてシャツ襟上端からシャツ下端に至る部分のうち少なくとも該シャツ襟上端から該シャツ下端へ至る途中までが左右に開閉できる開閉可能の左右部分となっており、該左右部分を、該左右部分のうち襟左右部分を閉じておくことができる襟留め具を含む複数の留め具で閉じておくことができ、該複数の留め具は略等間隔で上下方向に配列されている上着シャツであって、襟留め具をはずしたまま着用しても襟崩れが抑制された状態を維持することができる上着シャツを提供することができる。
【考案を実施するための最良の形態】
【００２１】
以下本考案の実施形態について説明する。
図１は本考案に係る上着シャツの１例の正面図である。
図１の上着シャツＡは、図５に示す従来シャツＡ’において襟留め具２１と次段の留め具２２との間の襟下左右部分１１’、１２’に、留め具２１、２２の略中間位置で補助留め具２０を設けたものである。その他の点はシャツＡ’と同様であり、同じ部分等には図５のシャツＡ’と同じ参照符号を付してある。
【００２２】
補助留め具２０は襟留め具２１等と同じく、開閉可能の左右部分１１、１２のうち一方（襟下左右部分のうち右部分１２’）に連結したボタンｂと他方（襟下左右部分のうち左部分１１’）に形成したボタン通し掛け孔ｈとからなる孔掛け式ボタン留め具である。
【００２３】
図２は本考案に係る上着シャツの他の例の正面図である。
図２の上着シャツＢは、図６に示す従来シャツＢ’において襟留め具２１と次段の留め具２２との間の襟下左右部分１１’、１２’に、留め具２１、２２の略中間位置で補助留め具２０ａを設けたものである。その他の点はシャツＢ’と同様であり、同じ部分等には図６のシャツＢ’と同じ参照符号を付してある。
【００２４】
補助留め具２０ａは、開閉可能の左右部分１１、１２のうち一方（本例では襟下左右部分のうち右部分１２’）の表面に縫着した面状ファスナ雌部ａ１と他方（本例では襟下左右部分のうち左部分１１’）の裏面に縫着した面状ファスナ雄部ａ２とからなる面状ファスナ式留め具である。
【００２５】
面状ファスナ雌部ａ１は多数のループを面状に配列立設したものであり、面状ファスナ雄部ａ２は多数の係合突起部を面状に配列立設したものであり、両者は互いに押しつけることで係合突起部をループに係合させて連結でき、互いに引き剥がすことで分離できる。これらはそれ自体既に知られているものである。
【００２６】
シャツＡ、Ｂのいずれにおいても、補助留め具を除く複数の留め具２１〜２７については、それらは略等間隔で上下方向に配列されており、襟留め具２１下の次段留め具２２から襟までの距離は従来シャツと同じ程度である。
【００２７】
しかし、シャツＡ、Ｂでは、襟留め具２１と次段留め具２２間の襟崩れを抑制するには大きすぎて襟崩れを抑制し難い大きい間隔が補助留め具２０、２０ａで修正される。すなわち、補助留め具２０、２０ａが襟留め具２１と次段留め具２２との間に設けてあり、襟留め具２１と補助留め具２０、２０ａとの間の間隔は、略等間隔で配列された本来の留め具２１〜２７の間隔より短く、従って、補助留め具２０、２０ａで襟下左右部分１１’、１２’を閉じておくことで、襟留め具２１を外したままでも、襟崩れが抑制される。
【００２８】
かくして、上着シャツＡ、Ｂはクールビズのための軽装化において、それだけ外観体裁よく着用することができる。
また、シャツＢでは、補助留め具２０ａは、それにより襟下左右部分１１’、１２’を閉じたとき、シャツ正面外側から見えないので一層外観体裁がよい。
【００２９】
シャツＡにおいて補助留め具２０に代えてシャツＢの補助留め具２０ａを採用することもできるし、シャツＢにおいて補助留め具２０ａに代えて補助留め具２０を採用することもできる。また、補助留め具２０や２０ａに代えて、他の種々の留め具も採用できる。例えば図３や図４に示す留め具も採用できる。
【００３０】
図３の留め具２０ｂは嵌着式ボタン留め具であり、突起ｂ１’を有する第１ボタン（本例では雄ボタン）ｂ１と該突起ｂ１’を嵌脱可能の係合部ｂ２’を有する第２ボタン（本例では雌ボタン）ｂ２とからなっている。これらは図示省略の糸通し孔を利用した縫着等により襟下左右部分１１’、１２’に取り付けることができる。
【００３１】
図４の留め具２０ｃはフック式留め具であり、フックｃ１と該フックを係脱できるフック係合部材ｃ２とからなり、例えば、フックｃ１の縫着用部ｃ１’及び係合部材ｃ２の縫着用部ｃ２’を利用して襟下左右部分１１’、１２’に取り付けることができる。
【００３２】
図３、図４に示す留め具も、それにより襟下左右部分１１’、１２’を閉じたとき、シャツ正面外側から見えないように該部分１１’、１２’に取り付けることができる。
【００３３】
シャツＡ、Ｂは、シャツ襟１からシャツ下端３までが左右に開閉可能のものであるが、本考案は、図７に示すようなポロシャツ或いはポロシャツ様の上着シャツにも適用できる。
また、本考案は半袖シャツだけでなく、長袖シャツにも適用できる。
【産業上の利用可能性】
【００３４】
本考案は襟崩れを抑制して着用できる、クールビズに適する上着シャツを提供することに利用できる。
【図面の簡単な説明】
【００３５】
【図１】本発明に係る上着シャツの１例の正面図である。
【図２】本発明に係る上着シャツの他の例の正面図である。
【図３】補助留め具のさらに他の例を示す図である。
【図４】補助留め具のさらに他の例を示す図である。
【図５】従来の上着シャツの１例の正面図である。
【図６】従来の上着シャツの他の例の正面図である。
【図７】従来の上着シャツのさらに他の例の正面図である。
【符号の説明】
【００３６】
Ａ、Ｂ  上着シャツ
１  シャツ襟
１１  開閉可能の左右部分のうちの左部分
１２  開閉可能の左右部分のうちの右部分
１１’  襟下左右部分のうちの左部分
１２’  襟下左右部分のうちの右部分
２１  襟留め具（孔掛け式ボタン留め具）
２２〜２７  孔掛け式ボタン留め具
ｂ  ボタン
ｈ  ボタン通し掛け孔
３  シャツ下端
２０  補助留め具（孔掛け式ボタン留め具）
２０ａ  面状ファスナ式留め具
ａ１  面状ファスナ雌部
ａ２  面状ファスナ雄部
２０ｂ  嵌着式ボタン留め具
ｂ１  雄ボタン
ｂ１’突起
ｂ２  雌ボタン
ｂ２’係合部
２０ｃ  フック式留め具
ｃ１  フック
ｃ１’  縫着用部
ｃ２  係合部材
ｃ２’  縫着用部
Ａ’、Ｂ’、Ｃ’  従来の上着シャツ
【図１】
0003135443.tif 000003
【図２】
0003135443.tif 000004
【図３】
0003135443.tif 000005
【図４】
0003135443.tif 000006
【図５】
0003135443.tif 000007
【図６】
0003135443.tif 000008
【図７】
0003135443.tif 000009